(57)【要約】【課題】簡素な構成によりインジェクタからの噴射燃料の良好な霧化促進を達成してエンジン性能を向上できるエンジンのスロットル装置を提供する。【解決手段】エンジン１の吸気ポートと連通する吸気通路８が形成されたスロットルボディ７と、吸気通路８を貫通して配設されたスロットル軸９に支持され、スロットル軸９の回転に伴って開閉されてエンジン１の吸気量を調整するスロットル弁１０と、スロットル軸９を挟んだスロットルボディ７の外側面にそれぞれ固定され、スロットル弁１０が微小開度に調整されたときに、両側縁（１０ａ,１０ａ）により吸気通路８内を流通する吸気がそれぞれ絞られる一対の吸気絞り箇所１８の吸気流通方向の直下流に、それぞれのノズル部１３ａ，１４ａを臨ませた一対のインジェクタ１３，１４とを備えた。【選択図】図４
2020197196.tif 000002
【特許請求の範囲】
【請求項１】
エンジンの吸気ポートと連通する吸気通路が形成されたスロットルボディと、
前記吸気通路を貫通して配設されたスロットル軸に支持され、前記スロットル軸の回転に伴って開閉されて前記エンジンへの吸気量を調整するスロットル弁と、
前記スロットル軸を挟んだ前記スロットルボディの外側面にそれぞれ固定され、前記スロットル弁が微小開度に調整されたときに、両側縁により前記吸気通路内を流通する吸気がそれぞれ絞られる一対の吸気絞り箇所の吸気流通方向の直下流に、それぞれのノズル部を臨ませた一対のインジェクタと
を備えたことを特徴とするエンジンのスロットル装置。
【請求項２】
前記スロットル弁は、微小開度のときの両側縁による一対の吸気絞り箇所の位置を吸気流通方向で相違させ、
前記一対のインジェクタは、対応する吸気絞り箇所に対して同一の位置関係で前記ノズル部が配置されている
ことを特徴とする請求項１に記載のエンジンのスロットル装置。
【請求項３】
前記吸気通路内における前記スロットル軸の吸気流通方向の下流側に、前記スロットル軸に沿った姿勢で配設された隔壁と、
前記隔壁により前記吸気通路が２分されて画成され、それぞれ前記エンジンの一対の気筒の吸気ポートと連通する一対の分岐通路と
をさらに備えた
ことを特徴とする請求項１または２に記載のエンジンのスロットル装置。
【請求項４】
前記隔壁の前記スロットル軸の近傍の一側面には、全開位置に調整されたときの前記スロットル弁の一側縁が嵌り込む凹部が形成されている
ことを特徴とする請求項３に記載のエンジンのスロットル装置。
【請求項５】
前記エンジンは、Ｖ型の気筒配列をなし、
前記一対の分岐通路は、前記エンジンの各バンクの気筒の吸気ポートにそれぞれ連通される
ことを特徴とする請求項３または４に記載のエンジンのスロットル装置。
【発明の詳細な説明】
【技術分野】
【０００１】
本発明は、インジェクタを備えたエンジンのスロットル装置に関する。
【背景技術】
【０００２】
この種のスロットル装置は、スロットル弁の開度に応じて吸気量を調整すると共に、吸気中にインジェクタから燃料を噴射して混合気を生成し、エンジンの吸気ポートから筒内に供給して点火プラグにより点火・燃焼させている。噴射された燃料の霧化状態は混合気の性状、ひいては筒内での燃焼状態に大きく影響し、燃料の霧化が不十分な場合には良好な筒内燃焼が望めず、排ガス面や出力面でエンジン性能を低下させる要因になる。特にアイドル運転等のように、スロットル弁を微小開度に調整して吸気を絞っている状況では、吸気流速が低いことから元々燃料が霧化され難く、上記した燃料の霧化不良による影響が強まる。
【０００３】
このような不具合の対策として、例えば特許文献１に記載のスロットル装置では、スロットル弁に貫通孔を形成している。貫通孔を流通した吸気は流速を高められ、この吸気をインジェクタからの噴射燃料に衝突させることにより燃料の霧化促進を図っている。
【０００４】
しかしながら、アイドル運転等では元々の吸気量が少ないため、貫通孔を流通させても吸気流速はそれほど増加せず、結果として、燃料霧化が求められる肝心のアイドル運転等で燃料を十分に霧化できないという問題があった。
【０００５】
そこで、例えば特許文献２に記載のスロットル装置では、シリンダヘッドの吸気ポート内及びインテークパイプ内にそれぞれ仕切壁を形成して上側吸気通路と下側吸気通路とに区画し、下側吸気通路内を流通する吸気量をフラップの開度に応じて調整可能としている。例えばスロットルバルブが小開度のときにはフラップを閉じ、インジェクタが取り付けられている上側吸気通路を流通する吸気量を増加させて吸気流速を高め、これにより噴射燃料の霧化促進を図っている。
【先行技術文献】
【特許文献】
【０００６】
【特許文献１】特開平８−２３２８１４号公報
【特許文献２】特開２０１６−７０２０６号公報
【発明の概要】
【発明が解決しようとする課題】
【０００７】
しかしながら、特許文献２に記載のスロットル装置は、製造コスト面で問題があった。即ち、このスロットル装置を実施するには、吸気ポート内及びインテークパイプ内に仕切壁を形成し、下側吸気通路にはフラップを設け、さらにエンジンの運転中にフラップを開度制御する必要がある。このためエンジンの構成が複雑化して製造コストが高騰することから、従来からより簡素な構成で十分な効果を達成できる対策が要望されていた。
【０００８】
本発明はこのような問題点を解決するためになされたもので、その目的とするところは、簡素な構成によりインジェクタからの噴射燃料の良好な霧化促進を達成してエンジン性能を向上することができるエンジンのスロットル装置を提供することにある。
【課題を解決するための手段】
【０００９】
上記の目的を達成するため、本発明のエンジンのスロットル装置は、エンジンの吸気ポートと連通する吸気通路が形成されたスロットルボディと、吸気通路を貫通して配設されたスロットル軸に支持され、スロットル軸の回転に伴って開閉されてエンジンへの吸気量を調整するスロットル弁と、スロットル軸を挟んだスロットルボディの外側面にそれぞれ固定され、スロットル弁が微小開度に調整されたときに、両側縁により吸気通路内を流通する吸気がそれぞれ絞られる一対の吸気絞り箇所の吸気流通方向の直下流に、それぞれのノズル部を臨ませた一対のインジェクタとを備えたことを特徴とする。
【００１０】
その他の態様として、スロットル弁が、微小開度のときの両側縁による一対の吸気絞り箇所の位置を吸気流通方向で相違させ、一対のインジェクタが、対応する吸気絞り箇所に対して同一の位置関係でノズル部が配置されるようにしてもよい。
【００１１】
その他の態様として、吸気通路内におけるスロットル軸の吸気流通方向の下流側に、スロットル軸に沿った姿勢で配設された隔壁と、隔壁により吸気通路が２分されて画成され、それぞれエンジンの一対の気筒の吸気ポートと連通する一対の分岐通路とをさらに備えてもよい。
【００１２】
その他の態様として、隔壁の前記スロットル軸の近傍の一側面に、全開位置に調整されたときのスロットル弁の一側縁が嵌り込む凹部が形成されていてもよい。
【００１３】
その他の態様として、エンジンが、Ｖ型の気筒配列をなし、一対の分岐通路が、エンジンの各バンクの気筒の吸気ポートとそれぞれ連通していてもよい。
【発明の効果】
【００１４】
本発明のエンジンのスロットル装置によれば、簡素な構成によりインジェクタからの噴射燃料の良好な霧化促進を達成してエンジン性能を向上することができる。
【図面の簡単な説明】
【００１５】
【図１】第１実施形態のスロットル装置が装着された単気筒エンジンを示す正面図である。
【図２】スロットル装置を示す斜視図である。
【図３】図２のＡ矢視図である。
【図４】図３のIV-IV線断面図である。
【図５】第２実施形態のスロットル装置が装着されたＶ型２気筒エンジンを示す正面図である。
【図６】図３のVI-VI線断面図である。
【図７】スロットル弁を全開位置に調整したときの図６に対応する断面図である。
【図８】図７のVIII-VIII線断面図である。
【図９】第２実施形態の別例を示す図６に対応する断面図である。
【発明を実施するための形態】
【００１６】
［第１実施形態］
以下、本発明を自動二輪車に搭載される単気筒エンジン用のスロットル装置に具体化した第１実施形態を、図１〜４に基づき説明する。
図１に示すように、エンジン１はクランクケース２、シリンダブロック３及びシリンダヘッド４からなる。シリンダヘッド４の一側面には吸気マニホールド５を介してスロットル装置６の一端が連結され、スロットル装置６の他端には図示しないエアクリーナが連結されている。また図示はしないが、シリンダヘッド４の他側面には排気管が連結され、排気管上には排ガス浄化用の触媒及び消音器が介装されている。
【００１７】
図２〜４に示すように、スロットル装置６のスロットルボディ７には、断面オーバル状をなす吸気通路８が図２の上下方向に沿って貫設されている。エアクリーナにより濾過された吸気は吸気通路８を流通した後、吸気マニホールド５を経てエンジン１の吸気ポートから筒内に供給される。以下、この吸気が流通する方向を吸気流通方向と称し、図１に示すエンジン１への装着状態では、吸気流通方向を水平とした姿勢にスロットル装置６が保たれる。
【００１８】
スロットルボディ７には吸気通路８を短辺方向に貫通してスロットル軸９が配設され、その両端は図示しないベアリングにより回転可能に支持されている。吸気通路８内において、スロットル軸９にはオーバル状のスロットル弁１０がビス１１により固定・支持されている。スロットル軸９の一端にはモータ１２が連結され、図示しない戻りバネに抗してモータ１２によりスロットル軸９が回転駆動され、それに伴ってスロットル弁１０が開閉されてエンジン１への吸気量が調整される。以下、この吸気流通方向と直交するスロットル軸９に沿った方向をスロットル軸線方向と称する。
なお本実施形態では、吸気通路８を断面オーバル状としたが、これに限るものではなく、例えば断面円形状としてもよい。
【００１９】
スロットル軸９を挟んだスロットルボディ７の一対の外側面、換言すると、吸気通路８の長辺方向に相当する一対の外側面には、それぞれインジェクタ１３，１４が固定されている。詳しくは、スロットルボディ７の一対の外側面には、それぞれ吸気流通方向の下流側に嵌合ベース部１５が一体形成され、吸気流通方向の上流側に締結ベース部１６が一体形成されている。以下の説明では、吸気流通方向の下流側を吸気下流側と略し、吸気流通方向の上流側を吸気上流側と略して表現する。
【００２０】
各インジェクタ１３，１４の先端のノズル部１３ａ，１４ａは、嵌合ベース部１５に斜め方向に貫設されたノズル孔１５ａ内に嵌合し、各インジェクタ１３，１４の基端は、締結ベース部１６を介してスロットルボディ７の外側面から離間した位置でビス１７により締結されている。これにより図４中に一点鎖線で示すように、各インジェクタ１３，１４のノズル部１３ａ，１４ａの軸線Ｃijは吸気通路８の軸線Ｃに対して所定角度で交わるように斜め方向を指向している。以下、この吸気流通方向及びスロットル軸線方向とそれぞれ直交するインジェクタ１３，１４が並設された方向をインジェクタ並設方向と称する。
【００２１】
各インジェクタ１３，１４の一側にはニップル１３ｂ，１４ｂが設けられ、それぞれのニップル１３ｂ，１４ｂには図示しない燃料ホースを経て燃料ポンプから加圧燃料が供給され、インジェクタ１３，１４の開閉に応じてノズル部１３ａ，１４ａから吸気通路８内に噴射されるようになっている。モータ１２の一側に設けられたコネクタ１２ａ及びインジェクタ１３，１４の一側に設けられたコネクタ１３ｃ，１４ｃには、それぞれ図示しないハーネスを介してコントローラが接続され、コントローラによりモータ１２及びインジェクタ１３，１４が駆動制御される。
【００２２】
詳しくは、モータ１２は自動二輪車のスロットル操作に基づき駆動制御されてスロットル弁１０を開度調整し、インジェクタ１３，１４は、エンジン１に供給される吸気量を前提として所定の空燃比を達成可能な量の燃料を噴射する。一対のインジェクタ１３，１４で燃料噴射することから、個々のインジェクタ１３，１４からはエンジン１に供給すべき燃料量の半分が噴射される。
【００２３】
モータ１２によるスロットル弁１０の開度調整についてさらに詳述すると、スロットル操作の中止時にはモータ１２の駆動が中止され、戻りバネの付勢力によりスロットル弁１０が図４に示す微小開度に調整される。このときスロットル弁１０のインジェクタ並設方向の両側縁（１０ａ,１０ａ）は吸気通路８の内壁からそれぞれ僅かに離間し、図４に円で囲んで示すように、それぞれの箇所では吸気が絞られながら上流から下流へと流通する。以下、これらの箇所を吸気絞り箇所１８，１９と称し、吸気量の減少によりエンジン１はアイドル運転に保たれる。
【００２４】
また、スロットル操作が開始されて操作量が次第に増加すると、それに対応してモータ１２によりスロットル弁１０が開側に駆動される。吸気量の増加及びそれに応じた燃料噴射量の増加によりエンジン１の運転領域は高回転高負荷側に移行し、スロットル全開操作時には、スロットル弁１０が図４中に仮想線で示す吸気流通方向に沿った全開位置に調整される。
【００２５】
以上がスロットル装置６の基本的な構成であり、次いで、スロットル弁１０の微小開度時の吸気絞り箇所１８，１９と各インジェクタ１３，１４のノズル部１３ａ，１４ａとの位置関係、及びそれに基づく作用効果について説明する。
【００２６】
図４に示すように本実施形態のスロットル装置６は、スロットル弁１０の両側縁（１０ａ,１０ａ）により形成される一対の吸気絞り箇所１８，１９に対応して一対のインジェクタ１３，１４を配設している。そして吸気流通方向において、左側のインジェクタ１３は対応する吸気絞り箇所１８と一致する位置でノズル部１３ａを吸気通路８内に臨ませ、右側のインジェクタ１４は対応する吸気絞り箇所１９よりも僅かに下流側の位置でノズル部１４ａを吸気通路８内に臨ませている。これらの吸気絞り箇所１８，１９に対するノズル部１３ａ，１４ａの位置関係が、本発明の直下流に相当する。
【００２７】
スロットル弁１０が微小開度に調整されているとき、それぞれの吸気絞り箇所１８，１９ではスロットル弁１０の両側縁（１０ａ,１０ａ）により吸気が絞られて流速を高められ、下流側へと流通した直後の吸気中に各インジェクタ１３，１４のノズル部１３ａ，１４ａから燃料が噴射される。従って、それぞれの噴射燃料は、高い流速の吸気により撹拌されて霧化が促進される。
【００２８】
例えば特許文献１に記載のスロットル装置においてもアイドル運転等ではスロットル弁が微小開度に調整され、その両側縁により一対の吸気絞り箇所が形成されて吸気流速が高められる。しかしながら、インジェクタからの燃料は一方の吸気絞り箇所を流通した半分の吸気中にのみ噴射され、他方の吸気絞り箇所を流通した半分の吸気は噴射燃料の霧化には全く利用されない。インジェクタからは１気筒分に供給すべき全ての燃料が噴射されるため、半分の吸気量では噴射燃料の良好な霧化、ひいては筒内での良好な燃焼が望めず、排ガス面や出力面でエンジン性能を低下させてしまう。
【００２９】
これに対して本実施形態では、一対のインジェクタ１３，１４からエンジン１の１気筒分に供給すべき燃料量の半分がそれぞれ噴射され、それらの一対の噴射燃料の撹拌・霧化のために、各吸気絞り箇所１８，１９を流通した半分の吸気量がそれぞれ利用される。即ち、特許文献１の技術に比較して、個々の吸気絞り箇所１８，１９を流通した吸気により撹拌すべき燃料量が半減することから、噴射燃料の霧化を促進して筒内で良好に燃焼させることができる。結果として燃焼効率が向上し、排ガス面や出力面での改善によりエンジン性能を向上できると共に、希薄燃焼への対応も容易に可能となる。
【００３０】
一方、本実施形態のスロットル装置６は特許文献２のものに比較して、吸気ポート内やインテークパイプ内の仕切壁、下側吸気通路のフラップを省略でき、さらにフラップを開度制御する必要もない。また特許文献１のスロットル装置と比較した場合であっても、インジェクタ１３，１４を１本追加するだけで実施できる。このような簡素な構成であるが故に、製造コストを低減することができる。
【００３１】
［第２実施形態］
次に、本発明を自動二輪車に搭載されるＶ型２気筒エンジン用のスロットル装置に具体化した第２実施形態を、図５〜８に基づき説明する。
本実施形態のスロットル装置はエンジンの２つの気筒で共用されており、そのために吸気通路の下流側が隔壁により２分されていることが第１実施形態のスロットル装置６との相違点であり、その他の構成は同一である。そこで、共通する構成の箇所は同一の部材番号を付して説明を省略し、相違点を重点的に説明する。
【００３２】
図５に示すように、エンジン２１はクランクケース２２、一対のシリンダブロック２３及び一対のシリンダヘッド２４からなる。各シリンダヘッド２４の相対向する内側面には、吸気マニホールド２５を介して共通のスロットル装置２６が連結されている。詳しくは、吸気マニホールド２５は下方に向けて二股状に分岐する形状をなし、その上流端にスロットル装置２６が連結され、一対の下流端にエンジン２１の各バンクのシリンダヘッド２４がそれぞれ連結されている。
【００３３】
従って、エンジン２１への装着状態では、吸気流通方向を垂直とした姿勢にスロットル装置２６が保たれる。またインジェクタ並設方向はエンジン２１の一対の気筒が並設された方向と一致し、これと直交する方向がスロットル軸線方向に相当する。このスロットル装置２６の配置により、断面オーバル状の吸気通路８の長辺方向に吸気が２分されて各気筒に案内されるため、円滑に吸気を分流させることができる。
【００３４】
図６，７に示すように、隔壁２７は、吸気通路８内におけるスロットル軸９の吸気下流側に、スロットル軸線方向に沿った姿勢で配設されている。隔壁２７の上縁はスロットル軸９に対して僅かに離間して配設され、下縁は吸気通路８の吸気下流側の開口部まで延設されている。この隔壁２７により吸気通路８のスロットル軸９よりも吸気流通方向の下流側の領域が２分され、一対の分岐通路２８が画成されている。
【００３５】
このような隔壁２７に対応して、図６に仮想線で示すように吸気マニホールド２５の二股状の分岐箇所よりも吸気上流側の領域には隔壁２５ａが形成されて、その上縁がスロットル装置２６側の隔壁２７の下縁と連続している。このためスロットル装置２６の一対の分岐通路２８は、互いに連通することなく吸気マニホールド２５を介してエンジン２１の各バンクの気筒の吸気ポートとそれぞれ連通している。
【００３６】
本実施形態においても、吸気絞り箇所１８，１９に対するインジェクタ１３，１４のノズル部１３ａ，１４ａの位置関係は第１実施形態と同一であり、吸気流通方向において各吸気絞り箇所１８，１９の直下流にインジェクタ１３，１４のノズル部１３ａ，１４ａが配置されている。よって、スロットル弁１０が微小開度のときには、各吸気絞り箇所１８，１９を流通して流速が高められた吸気中にそれぞれのインジェクタ１３，１４から燃料が噴射される。互いの噴射燃料は隔壁２７に隔てられて混合することなく、吸気マニホールド２５を経て対応する気筒の筒内に供給される。
【００３７】
本実施形態の場合には、各インジェクタ１３，１４からエンジン２１の１気筒に供給すべき燃料がそれぞれ噴射され、その撹拌・霧化のために各吸気絞り箇所１８，１９を流通する１気筒分の吸気がそれぞれ無駄なく利用される。例えば、特許文献１に記載のスロットル装置を２気筒エンジンに適用した場合には、単一のインジェクタから２気筒分の燃料を噴射することになるが、その霧化には一方の吸気絞り箇所を流通した１気筒分の吸気が利用されるだけである。
【００３８】
これに対して本実施形態では、個々の吸気絞り箇所１８，１９を流通した吸気を利用することにより撹拌すべき燃料量が半減するため、噴射燃料の霧化促進によりエンジン性能を向上することができる。
また、第１実施形態に比較して隔壁２７を追加しただけの簡素な構造であるため、特許文献２のスロットル装置に比較して製造コストを低減することができる。
【００３９】
加えて、本実施形態のスロットル装置２６は単一の吸気通路８から吸気を分流させてエンジン２１の一対の気筒に供給する構成のため、特にＶ型２気筒エンジン２１の場合に良好な吸気レイアウトを採用できる。即ち、Ｖ型２気筒エンジン２１では各気筒の吸気ポートが相対向する斜め上方に開口していることから、スロットル装置２６と各気筒とを連結する吸気マニホールド２５の湾曲を緩やかな形状に設定できる。これにより吸気の流通方向をそれほど変更せずに円滑に吸気ポートに案内できるため、この要因は吸気抵抗の低減ひいてはエンジン性能の向上に貢献する。
【００４０】
一方、以上のように高い流速の吸気により噴射燃料を撹拌するには、各吸気絞り箇所１８，１９の直下流にインジェクタ１３，１４のノズル部１３ａ，１４ａを臨ませることが重要である。そして、２気筒エンジン２１を想定した本実施形態では、互いの噴射燃料の混合を防止するために隔壁２７の上縁をスロットル軸９の近傍まで延設している。ところが、この位置関係では隔壁２７との干渉によりスロットル弁１０を完全な全開位置に調整できず、スロットル弁１０により吸気の流通が妨げられてエンジン２１の最大出力が低下してしまう。
【００４１】
その対策として本実施形態では、隔壁２７の一側面にスロットル弁１０に対応する形状の凹部２７ａを形成している。詳しくは図７，８に示すように、凹部２７ａはスロットル弁１０の約半分の領域に対応する略半月状をなし、その下部が円弧状に形成され、上部は隔壁２７の上縁から上方に開放されている。また、隔壁２７の板厚方向に相当する凹部２７ａの深さは、スロットル弁１０の厚みよりも若干大きく設定されている。図７に示すようスロットル弁１０が全開位置に調整されると、スロットル弁１０の一側縁（１０ａ）は吸気下流側へと位置変位して、隔壁２７の凹部２７ａ内に重ねられた状態で嵌り込む。従って、スロットル弁１０は隔壁２７との干渉を防止されて問題なく全開位置に調整される。
【００４２】
そして、元々スロットル軸９に沿った姿勢で配設された隔壁２７は、吸気上流側のスロットル軸９に陰に隠れて吸気をほとんど妨げず、この隔壁２７の凹部２７ａ内に嵌り込んだスロットル弁１０も吸気の妨げにならない。従って、スロットル全開時の吸気量の増加、ひいてはエンジン２１の最大出力の向上を達成することができる。
【００４３】
ところで図６から判るように、微小開度のときのスロットル弁１０の両側縁（１０ａ,１０ａ）は吸気流通方向の位置が異なり、必然的に吸気絞り箇所１８，１９の位置も若干ではあるが相違する。これに対して一対のインジェクタ１３，１４は同一位置に配設されているため、吸気による噴射燃料の撹拌状態が双方で異なる。このため双方の撹拌状態を勘案した上で、妥協点として吸気流通方向のインジェクタ１３，１４の位置を設定せざるを得ない。
【００４４】
その対策として図９に示すように、吸気流通方向において吸気絞り箇所１８，１９に対してインジェクタ１３，１４のノズル部１３ａ，１４ａを下流側に同一距離Ｌだけ離間配置してもよい。これにより、それぞれの吸気絞り箇所１８，１９に対してインジェクタ１３，１４のノズル部１３ａ，１４ａが同一の位置関係で配置されるため、距離Ｌを適切に設定すれば、何れのインジェクタ１３，１４からの噴射燃料も良好に撹拌・霧化することができる。なお、同様の構成を第１実施形態のスロットル装置６に適用してもよい。
【００４５】
以上で実施形態の説明を終えるが、本発明の態様はこの実施形態に限定されるものではない。例えば上記第１実施形態では単気筒エンジン１を想定し、第２実施形態ではＶ型２気筒エンジン２１を想定したが、適用するエンジンの種別はこれに限らない。例えば第２実施形態のスロットル装置２６の構成であれば、吸気マニホールド２５の形状を変更することで水平対向２気筒エンジンに対応することもできる。また、Ｖ型４気筒エンジンやＶ型６気筒エンジン等にも対応可能であり、この場合には相対向する一対の気筒毎にスロットル装置２６を配置すればよい。
【符号の説明】
【００４６】
１，２１  エンジン
６  スロットル装置
７  スロットルボディ
８  吸気通路
９  スロットル軸
１０  スロットル弁
１０ａ  側縁
１３ａ，１４ａ  ノズル部
１３，１４  インジェクタ
１８，１９  吸気絞り箇所
２７  隔壁
２７ａ  凹部
２８  分岐通路
【図１】
2020197196.tif 000003
【図２】
2020197196.tif 000004
【図３】
2020197196.tif 000005
【図４】
2020197196.tif 000006
【図５】
2020197196.tif 000007
【図６】
2020197196.tif 000008
【図７】
2020197196.tif 000009
【図８】
2020197196.tif 000010
【図９】
2020197196.tif 000011